【事件の表示】
特許第２７５３３４５号「冷蔵庫」の請求項１ないし３に係る特許に対する特許異議の申立てについて、次のとおり決定する。
【結論】
特許第２７５３３４５号の請求項１ないし３に係る特許を維持する。
【理由】
（１）手続きの経緯
　本件特許第２７５３３４５号は、平成１年１０月２日に出願されたもので、平成１０年２月２７日に設定登録がなされ、その後、特許異議の申立てがなされたものである。
（２）本件各請求項に係る発明
　本件各請求項に係る発明は、特許明細書及び図面の記載からみて、特許請求の範囲請求項１乃至請求項３に記載されたとおりの次のものである。
　【請求項１】冷却器が配設された庫内に設けられた庫内室と冷蔵室とを連通する冷気供給路と、前記冷気供給路から冷蔵室の幅方向に分岐され且つ、前記冷蔵室の背壁にこの冷蔵室の上下に亘って設けられ冷蔵室に冷気を吹出す冷気吹出口を備えた冷気分配通路と、前記冷気分配通路の隣り合う通路の両内側壁間の空間に設けられ複数段の庫内棚に亘って照射する庫内灯と、前記庫内灯が設置された空間の前記冷蔵庫の前面側を覆う庫内灯カバ一とを備えた冷蔵庫。
　【請求項２】請求項１記載の冷蔵庫において、前記冷気分配通路の隣り合う通路の両内側壁で囲まれた空間が前記庫内棚の複数段に亘って設けられた冷蔵庫。
　【請求項３】請求項１または２の冷蔵庫において、前記庫内灯カバーが前記冷気分配通路の隣り合う通路の両内側壁で囲まれた空間のほぼ全長に亘って装着された冷蔵庫。
（３）特許異議の申立てについて
ア）各異議申立人は、下記の引用例をそれぞれ提示して、本件各請求項に係る発明がこれらの引用例記載事項に基いて容易に発明をすることができたものであるから、各請求項に係る発明の特許が取り消されるべき旨主張している。
ｉ）特許異議申立人株式会社東芝が提示した引用例
甲第１号証として、実公昭５５−２３９３号公報（以下引用例１という）
甲第２号証として、実願昭６２−１４０３０７号（実開昭６４−４５２７２号）のマイクロフィルム（以下引用例２という）
甲第３号証として、「三菱チルド冷蔵庫のカタログ「１９８９年４月作成（以下引用例３という）
ｉｉ）特許異議申立人渡辺浦江が提示した引用例
甲第１号証として、実願昭５０−１２４０３９号（実開昭５２−３７３６８号）のマイクロフィルム（以下引用例４という）
甲第２号証として、実願昭６２−１４０３０７号（実開昭６４−４５２７２号）のマイクロフィルム（引用例２）
甲第３号証として、実願昭５４−１７３３６３号（実開昭５６−９０６８６号）のマイクロフィルム（以下引用例５という）
甲第４号証として実願昭６０−２８０７６号（実開昭６１−１４５２７７号）のマイクロフィルム（以下引用例６という）
ｉｉｉ）特許異議申立人梶田勝也が提示した引用例
甲第１号証として、実願昭６２−１４０３０７号（実開昭６４−４５２７２号）のマイクロフィルム（引用例２）
甲第２号証として、実願昭６１−２８２４５号（実開昭６２−１４１１９２号）のマイクロフィルム（以下引用例７という）
甲第３号証として、１９８９年９月２８日発行　「電波新聞」（以下引用例８という）
甲第４号証として、「日経ニュース・テレコン」検索結果（以下引用例９という）
甲第５号証として、「三菱チルド冷蔵庫のカタログ」１９８９年７月作成（以下引用例１０という）
イ）上記引用例の記載内容
　引用例１には、「本体１内を貯蔵室２と冷気ダクト１３とに画成する仕切り板１２と貯蔵室２を上部貯蔵室４と下部貯蔵室５とに画成し且つ仕切板１２と通気路１５を形成する中仕切板３とを有する冷蔵庫において、仕切板１２の中仕切板３に対向する位置に開口部１４を設け、庫内灯１７を固着するとともに前記開口部１４に冷気ダクト１３側より庫内灯１７を臨ませるように位置した取付板１６を設けるとともに前記開口部１４を覆う透光性の庫内灯カパー１８を設け、前記庫内灯１７取付部分が貯蔵室２側に突出しないように構成したことを特徴とする冷蔵庫」（１頁左欄１７行〜２８行）と記載されている。
　引用例２には、「庫内を区画して構成した冷凍室、冷蔵室、野菜室などの複数の貯蔵室に冷気を強制循環する冷蔵庫において、ダンパーサーモスタットを冷蔵室内上部背面に配置し、このダンパーサーモスタットをおおう化粧カバー内に開口を有し、背面下方に延出する複数の連通ダクトを配設するとともに、冷蔵室を略板状の棚で仕切り、この棚で、仕切られた区画毎に上記連通ダクトにそれぞれ吹出口を設けたことを特徴とする冷蔵庫」（１頁５行〜１０行）と記載されている。
　引用例３及び引用例１０には、冷蔵室の上下に亘って設けられ冷蔵室に冷気を吹出す冷気吹出口を備えた冷気通路と、各棚段にわたって照明する庫内灯を備えた冷蔵庫が、図示されている。
　引用例４には、「強制冷却型のファン付冷蔵庫において、冷蔵室（４）後方に設けた冷気ダクト内（１９）に庫内灯箱（８）を設けその前面周囲に庫内灯箱（８）と着脱可能な庫内灯カバー（１１）をその周囲に重ね合せて配備し、庫内灯箱（８）前面からの冷気からの吸い込みを遮断したことを特徴とする冷蔵庫」（１頁５行〜１０行）と記載されている。
　引用例５には、「（３１）は前記冷凍室（６）用のダクト（１６）上部開口を閉蓋すると共に、照明灯（３２）を内装した照明室（３３）形成用の透光性カバーで、断面Ｌ字形等任意形状にしている」（３頁末行〜４頁３行）と記載されており、ダクトの上部の照明室が第２図に図示されている。
　引用例６には、「冷蔵庫本体１の前面側１ｃに形成された開口部１ｄのほぼ中央部位置には、前面柱５が固定して配置されており、この前面柱５は、前面板５ｂ及び光線反射板５ｃにより断熱材８を挟持した構成によりなる柱部５ｅと、この柱部５ｅの一面に設けられ第１棚受部９を有すると共に透光性材料で形成された透光性柱後板６とから構成されており、この透光性柱後板６内には長手形状の空間部１９が形成されている。前記透光性柱後板６の上部に形成された取付部６ａには、ランプからなる庫内灯１０がソケット１０ａを介して固定されており」（６頁１２行〜７頁３行）と記載されている。
　引用例７には、「ケース庫内を上下２室に仕切って画成された温蔵室と冷蔵室に対し、室間の仕切壁を貫通して温蔵室と冷蔵室との両室にまたがり庫内照明用の蛍光灯を配備したショーケースの庫内照明装置において、前記蛍光灯を囲繞してその上下開口端がそれぞれ温蔵室、冷蔵室内に開口する透明材の蛍光灯保護管を設置し、該保護管内を通じて冷蔵室側から蛍光灯の表面へ微量な冷気を流すように構成したことを特徴とするショウーケースの庫内照明装置」（１頁４行〜１３行）と記載されている。
　引用例８には、冷蔵庫「フィットレデイ」シリーズ５ドア型について、「棚ごとに冷気を吹き出し広い庫内を丁重に冷やす「グルメフロ一」隅々まで明るく照らす「縦長ライト（庫内灯）」をスッキリひとつにまとめた「グルメフローライト」」（冷蔵庫「フィットレデイ」シリーズ欄）と記載されている。
　引用例９には、「冷蔵室には、棚ごとに冷気を吹き出し、庫内を丁寧に冷やす「グルメフロ一」と、庫内を隅々まで明るく照らす縦長ライト（庫内灯）をひとつにした「グルメフローライト」を採用、広い庫内をより使いやすくするための機能です」（２頁１３行〜１５行）と記載されている。
ウ）対比・判断
　上記引用例には、いずれにも「冷気分配通路の隣り合う通路の両内側壁間の空間に設けられ複数段の庫内棚に亘って照射する庫内灯と、前記庫内灯が設置された空間の冷蔵庫の前面側を覆う庫内灯カバーとを備えた冷蔵庫」に関しては記載されていないし、示唆もされていない。
　そして、各請求項に係る発明は、この点において、明細書に記載された効果を奏するものである。
　したがって、各請求項に係る発明が、前記各引用例記載の事項から容易に発明をすることができたものということはできない。
（エ）したがって、各異議申立人の特許異議の申立ての理由及び証拠方法によっては、各請求項に係る発明の特許を取消すべきものとすることができない。
　また、他に各請求項に係る特許を取り消すべき理由を発見しない。
　よって、結論のとおり決定する。
【異議決定日】
平成１１年７月２８日（１９９９．７．２８）